(57)【要約】【課  題】魚が好む誘因用材を疑餌体に充填、沈下途中で餌取り魚を防御し目標タナで、海水の侵入で誘因匂いを少量づつ放出する、誘因用材を簡易に注入でき、繰り返し再使用できる、誘因用材は、天然材の魚油溶液または、混合ミンチのゲル状物で無駄な撒き餌とならず海洋生態系等の悪影響がなく海底に堆積しないで釣果を得る。【解決手段】本発明の疑餌体は、体内にに空胴部に設け、魚を誘因する用材を空胴部の中に注入、シャクリ作用で口部の開閉により海水を侵入させ疑餌体内に装置した含漬材で少量づつ放出する。疑餌体はネジで頭部と胴部が２分離でき誘因材の入替が簡易で、液状、並びに混合ミンチのゲル状材を疑餌体内に内蔵さし、注入吐出孔を有し放出させ、繰り返し使用できる持つ構造でコマセ機能と一体化した釣り具。【選択図】  図１
2004166672.tif 000002
【特許請求の範囲】
【請求項１】
疑餌の体内に空胴をもたせ、その空胴に嗜好性のある匂いを充填注入させて水中で放出する誘因機能を付与した疑餌体コマセ。
【請求項２】
請求項１に記載の、疑餌体コマセに水中で放出する誘因材を付与した疑餌の体内の空胴から匂いを、水中外部に漏出放出するための孔は誘因材の注入を兼ね、放出するための複数の孔、を有している。
【請求項３】
請求項１に記載の、疑餌体コマセには、水が侵入し易く頭部がシヤクリに作用で口が開閉し海水が侵入誘因材に衝突して匂いを放出さす。
【請求項４】
請求項１に記載の、疑餌体コマセには蓄因材の充填取り替えやそくざに誘因材の詰め替えを可能にして頭部と胴部がネジで外れ、侵入膨潤した水を抜くための水切排水機能を付与し、繰り返し注入するのためにした、コマセ疑餌。
【発明の詳細な説明】
【０００１】
本発明は、疑餌の体内に空胴をもたせ、釣り魚が好む匂いを誘因材として疑餌のシャクリ作用で疑餌に充填した匂いのエキス、あるいはゲル状物の匂いと取替えができ、水中で疑餌の吐口より海中に放出させ魚の誘因と釣果を向上さすコマセ機能を併用できる疑餌、何回も繰り返しエキスを注入充填、できる釣り用疑餌の製造法。
【０００２】
【産業上の利用分野】本発明は、魚釣用の誘因コマセ機能を疑餌と一体化させた疑餌で、誘因する匂いは魚類の油エキス、あるいは魚渣すり身のゲル状物の匂いを水中で放出させるための疑餌体内にいれる魚の身や沖アミが不要で、過剰撒き餌の無駄と、撒き餌の余りは投棄、等本発明は、の弊害を防止し、海底に堆積せず腐敗せず、海水の温度上昇でも潮流とともに消失し海洋環境を汚染する一因にはならない、携帯が簡易な釣り餌を安価に提供することを目的とした疑餌とコマセの釣り具。
【０００３】
【従来の技術】従来がら釣用疑餌は、魚型の樹脂製、木製が多く頭部、体の餌木、魚尾部が一体となり、これに釣針がつき餌をつけて、疑餌近くにつけたコマセに多量の切り身、あるいは冷凍沖アミをいれシヤクリにより餌を強制的にばら撒き釣る方法が一般的で、コマセにいれた誘因餌は定着する途中で、あるいは数回のシャクリで海中に脱出し、目標点まで到着したとき誘因餌がコマセ籠からぬけて空の場合があり、釣り餌も餌取りに取られている場合があり非能率的で、コマセに使う誘因餌も多量に必要で海洋を汚す。
【０００４】
【発明が解決しようとする課題】本発明の疑餌は、釣魚が好む匂いの誘因用材を疑餌体の中に注入し匂いをなるべく釣糸を目的の深さ目標点に着底させてからシャクリ作用で確実に暫時微量に放出させるという問題がある。
魚が好む匂いの誘因用材を暫時効率よく微量に放出させるために、海水をシャクリ作用で吸引侵入させるか、あるいは水中の圧力で侵入させるか、放出後の誘因用材の入替え、あるいは注入補充には  誘因用材が海水の侵入により吸潤した水を絞り出せた後なら誘因用材の注入には蓄液量が増え尚効果的である。釣果途中で釣糸が切れ疑餌体が海底に置き去りとなり海底汚染公害を軽減するよう疑餌体は生分解樹脂で外皮の材質は魚が好む感触に近い硬度にする事が喰い付が良く釣果の向上を図るという問題点がある。
【０００５】
【課題を解決するための手段】上記目的を達成するために、本発明の疑餌においての誘因用材は、魚貝類、頭足類、ウニ殻、魚渣、蚕蛹、擂身練り合せしゲル状にして挿入するか、摘出した油性の液状を疑餌体の空洞に注入し釣糸を目的の深さ、あるいは着底してシャクリにより放出させる疑餌材。
【０００６】
此の疑餌の上記目的を達成するため、疑餌体のの中に誘因用材を入れる空洞部と、この匂いを放出さす吐口用の孔を設けてシャクリ作用により疑餌体の口部を開けることにより口より流入した水と頭部に水の侵入孔を補助的に設けた侵入水とが口内空胴部より、圧力が発生しこの圧力が蓄液用スポンジに衝突伝播し餌木内の蓄液用スポンジ内より匂いを放出さす吐口用の孔より水中外部に放出され集魚効果を得る。
この当該、疑餌体の頭部に水を吸引さす機構として、シャクリ作用により連動する頭部の内側にゼンマイバネを装着するか、あるいは、疑餌体内の腹部餌木部の隔板より頭口部に至る釣り糸の鐶と連結した金属線のコイルバネを取付けシャクリ作用で隔板を起動さし水の吸引誘因材の吐出させてもよい。また、頭口部に背鰭れ、胸鰭れらの内側に水の侵入孔を設けシャクリ作用により水の抵抗で開閉式の蓋を付けるか、疑餌の背鰭に誘因材を入れた小型ボトル容器をネジ込み、疑餌体に滴下してもよい。
【０００７】誘因の放出後の誘因用材の補充入替え充填、また注入は、疑餌体を半回転ドリップ式か中折式、疑餌体胴部に蓋開口部を設ける等の方法で挿入口を開口して誘因用材を挿入するか、頭部と疑餌体胴部をネジ山溝で取り外し式としスポンジ層に吸潤した水を絞り出せる水切機能、あるいは誘因材となる練り合せゲル状物を挿入と交換可能とする方法等がある。
【０００８】本発明の水切排水機能は試験の結果、前記０００７に記載の口部をシャクリ作用で口部が開口することで疑餌体胴部に水が入り、空洞胴部に蓄液用スポンジを挿入し誘因用材を注入し溜め含漬さすことで効果があった。この注入式の場合は疑餌体腹部の中に含漬するために、あるいは吐口の目詰防止にもに効果があり、樹脂製スポンジ、あるいはセピオライトのモグサ状セラミックを漉袋、含漬材として金属メッシュ、に包み蓄液用として挿入しても良い。
【０００９】疑餌体の材質はウレタン樹脂、あるいは生分解樹脂を用いて射出法、インジクジョン、型押し出し法、あるいは形状により真空成形、で成形製作とし、外皮は鱗状、網状を有しさせた疑餌体に蓄光剤を用いてもよい。
【００１０】
【発明の実施形態】
本発明の実施形態の基本の１例を図面の実施例にもとずき説明する。
【図１】は疑餌体の全姿略視図で頭部に釣鐶はシャクリ作用により水の抵抗により口が開閉するように口は上顎と下顎は魚体頭部のエギ元まで分離し８のボート状の釘番で両端はカシメて抜けないようにし上顎と下顎は連結５の開口動伝作用と、水の流入口６と８を設けている、誘因材は７の注入口と吐口を兼ねた孔より注入し、８の餌木部は５の空胴部を有し１３の含漬スポンジを挿入し、６、９より流入した水が、誘因材を含漬したスポンジ１３に侵入衝突し誘因材と混合された匂い液が１１の吐口より放出され誘因集魚する。
【図２】は餌木体の断面図で、含漬したスポンジ並びに、誘因材となる練り合せゲル状物を挿入と交換可能とするため頭部と餌木部が、１２のネジ山溝で取外し分離できる構造とする。
１４は沈下用の重りで７は釣針を付ける鐶がついている。
【００１１】
本発明の疑餌体の構造は１の頭部の口部のカブラとが一体で、２の餌木の空胴部と３の尾部とか一体でありネジで取外しできそれぞれ二つに別れ分離することができる。
２の餌木の１５の空洞部には誘因材をを蓄える含漬スポンジ、があり６の注入孔兼吐口孔を備えている、混合材ペースト状の誘因材に入替えする場合は、１２の空洞内部にある１３の含漬スポンジを外し挿入すればよい。の餌木胴体部と尾部の先端とに１０の釣針の取り取り付け鐶があり、頭部カブラには１の釣糸を連結できる鐶をもつ構造を有し、前記０００６に記載の通りシャクリ作用と水圧によりの餌木の空洞部の外皮から、魚類が好む匂いを放出させ誘引する構造で、岩虫等にも空洞部を付与すれば、この空洞部に誘因材を注入すれば同様の効果がある。
余分な蒔き餌を必要とせず釣り準備を簡便にし、スポンジに食用赤色を含漬させ海中でシャクリ作用をし食用赤色を放出させた試験を実施し好調であった。
【００１２】
【発明の作用効果】
本発明は、以上説明したように構成されているので、以下に記載されるような効果を奏する。
【００１３】
本発明の疑餌用の誘因材は、魚渣等の魚が好む天然の材料から練合わせたゲル状混合物、あるいは当該溶液を、当該疑餌に挿入注入し誘引獲物に対応した目的のタナまで定着さし、沈下途中で餌取り魚に取られず、疑餌体の中にある蓄液スポンジでシャクリ動作による口部からの海水の流入浸透圧で注入溶液の誘因材が徐々に濾出し水中に匂いを放出し続けることができる。
【００１４】
釣り目的の魚種に応じて疑餌及び誘因材の種類を選択できる、異なる材料から誘因機能を付与して魚種により好む誘因材を選別し疑餌体に使用ができる、魚類は視覚より嗅覚が優り寄り付きもよく針がかりも良く釣果の向上につながった。
【００１５】
疑餌体の材質は樹脂製で魚が好む感触の近い硬度にする事で口触りも良く食付が良く釣果の向上が期待でき、蓄光剤を用いても製造が簡単で安価に提供できる。
【００１６】
本発明の疑餌体は、構造機構がコマセと同じ機能有しコマセが不要で、必要以上に過剰な撒き餌を防止できる、通常餌の残材は海上で投棄してされ、汚染となり海底に堆積した場合、冨栄養等、で海洋生物の生態環境を損なわず赤潮、青潮の海洋汚染の原因の一因を防止する。
【図面の簡単な説明】
【図１】疑餌体を拡大した全姿図である。
【図２】疑餌体の空胴内部を拡大した断面図である。
【符号の説明】
１．頭部
２．餌木
３．尾部
４．頭部と釣糸用鐶
５．シャクリによる口部の開口
６．水流入口孔
７．注入口，吐口孔
８．シヤクリ頭部可動釘番
９．水流入口孔
１０．釣針用鐶
１１．匂いの吐口孔
１２．頭部と餌木部を取外しのネジ山溝
１３．含漬スポンジ
１４．重り
１５．空胴部
【図１】
2004166672.tif 000003
【図２】
2004166672.tif 000004